【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
プロセス制御システムの性能を監視するためのシステムであって、前記システムは、
（Ａ）コンピューティングデバイスであって、（ｉ）ユーザインターフェースと、（ｉｉ）前記コンピューティングデバイスが前記ユーザインターフェースを介して、一組のプロセス制御サイトに関する性能監視情報を閲覧する要求を表す入力を受信することに応答して、前記コンピューティングデバイスに性能指標に対する要求を含むメッセージを送信させるプロセッサと、を含む、コンピューティングデバイスと、
（Ｂ）１つ以上のメモリデバイスであって、（ｉ）複数のプロセス制御サイト用の複数のサイトプロファイルであって、各サイトプロファイルが、前記複数のプロセス制御サイトのうちの１つに対して選択された性能指標の記録を含む、複数のサイトプロファイルと、（ｉｉ）複数のユーザ用の複数のユーザプロファイルであって、各ユーザプロファイルが、前記複数のユーザのうちの１人に対して選択された性能指標の記録を含む、複数のユーザプロファイルと、を記憶する、メモリデバイスと、
（Ｃ）前記コンピューティングデバイスから前記メッセージを受信することに応答して、（ｉ）前記複数のサイトプロファイルからの、前記受信されたメッセージ内に含められた複数のサイトＩＤと一意的に関連付けられた一組のサイトプロファイルと、（ｉｉ）前記複数のユーザプロファイルからの、前記受信されたメッセージ内に含められたユーザＩＤと一意的に関連付けられたユーザプロファイルと、の分析に基づいて、前記一組のプロセス制御サイトおよび前記コンピューティングデバイスのユーザに調整された一組の性能指標を前記コンピューティングデバイスに送信する１つ以上のサーバと、備え、
前記コンピューティングデバイスは、前記コンピューティングデバイスが前記一組の性能指標を受信することに応答して、前記コンピューティングデバイスが前記一組の性能指標を表示するために使用するディスプレイをさらに含む、システム。
【請求項２】
前記コンピューティングデバイスは、モバイルデバイスであり、
前記ディスプレイは、タッチスクリーンであり、
前記ユーザインターフェースは、前記タッチスクリーンでタッチ入力を検出するように構成された１つ以上のタッチセンサを含み、
性能監視情報を閲覧する前記要求を表す前記入力は、タッチ入力である、請求項１に記載のシステム。
【請求項３】
前記コンピューティングデバイスは、前記ユーザによって選択された順序で前記一組の性能指標を表示する、請求項１または２に記載のシステム。
【請求項４】
前記一組の性能指標内の各性能指標は、前記性能指標が対応する前記ユーザおよびプロセス制御サイトの両方に対する前記性能指標の関連度を表すユーザサイトスコアを割り当てられる、請求項１から３のいずれか１項に記載のシステム。
【請求項５】
前記コンピューティングデバイスは、前記一組の性能指標内の性能指標の前記ユーザサイトスコアによって判定された順序で前記一組の性能指標を表示する、請求項４に記載のシステム。
【請求項６】
前記１つ以上のメモリデバイスは、前記複数のサイトプロファイル内に含められた性能指標のサイトスコアを含み、各サイトスコアは、前記一組のサイトプロファイルが対応するプロセス制御サイトのうちの１つに対する性能指標の相対的重要度を表し
各サイトスコアは、（ｉ）前記関連付けられた性能指標のその値から独立した重要度、（ｉｉ）前記関連付けられた性能指標の前記値、または（ｉｉｉ）前記プロセス制御システムの前記状態、の因子のうちの１つ以上の分析に基づいて計算される、請求項１から５のいずれか１項に記載のシステム。
【請求項７】
前記関連付けられた性能指標のその値から独立した重要度は、過去のプロセス制御データまたは過去のＡＭＳデータの分析に基づいて生成された指数によって表される、請求項６に記載のシステム。
【請求項８】
前記１つ以上のメモリデバイスは、前記複数のユーザプロファイル内に含められた性能指標のユーザスコアを含み、各ユーザスコアは、前記ユーザプロファイルに対応する前記ユーザに対する性能指標の相対的重要度を表し、
各ユーザスコアは、（ｉ）前記性能指標との前記ユーザの対話の履歴、（ｉｉ）前記ユーザによって提供された重み付け、（ｉｉｉ）前記ユーザの担当範囲、（ｉｖ）前記ユーザに割り当てられた１つ以上のタスク、（ｖ）一組のユーザが選択した性能指標、および（ｉｉ）前記性能指標の前記値、の因子のうちの１つ以上の分析に基づいて計算される、請求項１から７のいずれか１項に記載のシステム。
【請求項９】
前記分析は、前記ユーザプロファイルおよび前記一組のサイトプロファイルのうちの少なくとも１つ内に含められた性能指標を識別することを含み、
前記一組の性能指標は、前記一組の性能指標内の包含のための前記識別された性能指標の全てを選択することによって調整される、請求項１から８のいずれか１項に記載のシステム。
【請求項１０】
前記分析は、前記一組のサイトプロファイルまたは前記ユーザプロファイルのいずれかの中に含められた各性能指標のユーザサイトスコアを計算することを含み、各ユーザサイトスコアは、前記性能指標が対応する前記ユーザおよびプロセス制御サイトに対する性能指標の関連度を表す、請求項１から９のいずれか１項に記載のシステム。
【請求項１１】
前記一組の性能指標は、最高のユーザサイトスコアを有する性能指標の数を選択することによって調整され、前記数の前記値は、所定の最大閾値以下である、請求項１０に記載のシステム。
【請求項１２】
前記一組の性能指標は、ユーザサイトスコア閾値を上回るユーザサイトスコアを有する前記性能指標を選択することによって調整される、請求項１０に記載のシステム。
【請求項１３】
前記コンピューティングデバイスは、ブラウザアプリケーションを介して前記一組の性能指標を表示する、請求項１から１２のいずれか１項に記載のシステム。
【請求項１４】
プロセス制御システムの性能を監視する方法であって、前記方法は、
（Ａ）コンピューティングデバイスのユーザインターフェースで、一組のプロセス制御サイトに関する性能監視情報を閲覧する要求を検出することと、
（Ｂ）前記コンピューティングデバイスによって、性能指標に対する要求を含むメッセージを送信することによって前記要求に応答することと、
（Ｃ）１つ以上のサーバで、前記メッセージを受信することと、
（Ｄ）一組のサイトプロファイルおよびユーザプロファイルを分析して、前記一組のプロセス制御サイトおよび前記コンピューティングデバイスのユーザに調整された一組の性能指標を選択することであって、
（ｉ）前記一組のサイトプロファイルは、前記受信されたメッセージ内に含められた一組のサイトＩＤに基づいて複数のサイトプロファイルから選択され、前記一組のサイトＩＤ内の各サイトＩＤは、前記一組のサイトプロファイル内の異なるサイトプロファイルと一意的に関連付けられ、
（ｉｉ）前記ユーザプロファイルは、前記受信されたメッセージ内に含められたユーザＩＤに基づいて複数のユーザプロファイルから選択され、前記ユーザＩＤは、前記ユーザプロファイルと一意的に関連付けられる、選択することと、
（Ｅ）前記コンピューティングデバイスに、前記選択された一組の性能指標を送信することと、
（Ｆ）前記コンピューティングデバイスのディスプレイに、前記選択された一組の性能指標を表示することと、を含む、方法。
【請求項１５】
前記一組のサイトプロファイルおよび前記ユーザプロファイルを分析して前記一組の性能指標を選択することは、
前記ユーザプロファイルと関連付けられた第１の複数の性能指標の各々のユーザスコアを生成することであって、各ユーザスコアは、前記ユーザスコアと関連付けられた性能指標の前記ユーザの関心のレベルを表す、生成することと、
前記一組のサイトプロファイルと関連付けられた第２の複数の性能指標の各々のサイトスコアを生成することであって、各サイトスコアは、前記性能指標が対応するプロセス制御サイトのための性能指標が所有する重要性のレベルを表す、生成することと、
前記第１および第２の複数の性能指標を含む上位セットに含められた各性能指標のユーザサイトスコアを生成することであって、各ユーザサイトスコアは、前記性能指標と関連付けられた前記ユーザスコアおよび前記サイトスコアの両方を考慮する複合スコアを表す、生成することと、
前記上位セットから、前記上位セット内の前記性能指標の前記ユーザサイトスコアに基づいて前記一組の性能指標を選択することと、を含む、請求項１４に記載の方法。
【請求項１６】
前記一組の性能指標を表示することは、
前記選択された一組の性能指標を、前記性能指標と関連付けられた前記ユーザサイトスコアに従って表示することを含む、請求項１５に記載の方法。
【請求項１７】
前記一組の性能指標を表示することは、
前記一組の性能指標の複数のサブセットを表示することを含み、各サブセットは、異なるプロセス制御サイトに対応する、請求項１４から１６のいずれか１項に記載の方法。
【請求項１８】
前記一組のサイトプロファイルおよび前記ユーザプロファイルを分析することは、前記一組の性能指標内への包含のために、前記ユーザプロファイルおよび前記一組のサイトプロファイルの両方に含められた性能指標を選択することを含む、請求項１４から１７のい
ずれか１項に記載の方法。
【請求項１９】
プロセス制御システムの性能を監視するためのコンピューティングデバイスであって、前記コンピューティングデバイスは、
プロセッサと、
前記プロセッサに通信可能に連結されたユーザインターフェースセンサと、
前記プロセッサに通信可能に連結されたディスプレイと、
前記プロセッサに連結された通信インターフェースと、
前記プロセッサに通信可能に連結され、非一時的コンピュータ可読命令を記憶するメモリと、を備え、前記非一時的コンピュータ可読命令は、前記プロセッサによって実行されたとき、前記コンピューティングデバイスに、
（Ａ）前記ディスプレイを介して、複数の選択可能なプロセス制御サイトを表示することと、
（Ｂ）前記ユーザインターフェースセンサを介して、前記複数の選択可能なプロセス制御サイトから選択された１つ以上のプロセス制御サイトを表す入力を検出することと、
（Ｃ）（ｉ）性能指標に対する要求、（ｉｉ）前記選択された１つ以上のプロセス制御サイトと一意的に関連付けられた１つ以上のサイトＩＤ、および（ｉｉｉ）前記コンピューティングデバイスのユーザに対して固有のユーザＩＤ、を含むメッセージを１つ以上のサーバに送信することと、
（Ｄ）前記１つ以上のサーバから、（ｉ）前記ユーザＩＤに対して固有のユーザプロファイル、（ｉｉ）前記１つ以上のサイトＩＤに対して固有の１つ以上のサイトプロファイル、の分析に基づいて、前記選択されたプロセス制御サイトおよび前記コンピューティングデバイスの前記ユーザに調整された一組の性能指標を受信することと、
（Ｅ）前記ディスプレイに、前記選択されたプロセス制御サイトおよび前記クライアントデバイスの前記ユーザに調整された前記一組の性能指標を表示することと、を行わせる、コンピューティングデバイス。
【請求項２０】
前記一組の性能指標内の各性能指標は、前記１つ以上のサイトプロファイルのうちの１つと関連付けられた、前記性能指標が対応する前記ユーザおよびプロセス制御サイトの両方に対する前記性能指標の関連度を表すユーザサイトスコアを割り当てられ、
前記ユーザサイトスコアを介して前記選択された一組の性能指標の順序に従って前記一組の性能指標を表示する、請求項１９に記載のコンピューティングデバイス。
【請求項２１】
前記メモリは、非一時的コンピュータ可読命令をさらに含み、該非一時的コンピュータ可読命令は、前記プロセッサによって実行されたとき、前記コンピューティングデバイスに、
前記ディスプレイに、特定の性能指標に割り当てられた特定のユーザサイトスコアを増減するための対話型要素を表示することと、
前記対話型要素に対応するユーザ入力を検出することに応答して前記特定のユーザサイトスコアを調節することと、
前記特定のユーザサイトスコアを調節することが、ユーザサイトスコアによって前記選択された性能指標の順序を変化させるとき、前記表示された一組の性能指標を動的に並べ替えることと、を行わせる、請求項２０に記載のコンピューティングデバイス。
【請求項２２】
前記メモリは、非一時的コンピュータ可読命令をさらに含み、該非一時的コンピュータ可読命令は、前記プロセッサによって実行されたとき、前記コンピューティングデバイスに、
前記ディスプレイに、特定の性能指標を除去するための対話型要素を表示することと、
前記ユーザインターフェースセンサによって、前記対話型要素に対応するユーザ入力を検出することに応答して、前記特定の性能指標を表示することを停止することと、を行わ
せる、請求項１９から２１のいずれか１項に記載のコンピューティングデバイス。
【請求項２３】
前記メモリは、非一時的コンピュータ可読命令をさらに含み、該非一時的コンピュータ可読命令は、前記プロセッサによって実行されたとき、前記コンピューティングデバイスに、
不健全な資産を閲覧するための対話型要素を表示することと、
前記対話型要素に対応するユーザ入力を検出することに応答して前記１つ以上の不健全な資産を表示することと、を行わせ、前記１つ以上の不健全な資産の各々は、前記不健全な資産と関連付けられた性能指標の値に基づいて識別される、請求項１９から２２のいずれか１項に記載のコンピューティングデバイス。
【請求項２４】
前記メモリは、非一時的コンピュータ可読命令をさらに含み、該非一時的コンピュータ可読命令は、前記プロセッサによって実行されたとき、前記コンピューティングデバイスに、
１つ以上のカテゴリ要素を含むダッシュボード要素を表示させ、前記１つ以上のカテゴリ要素の各々は、カテゴリ内に収まる性能指標の総数を表示する、請求項１９から２３のいずれか１項に記載のコンピューティングデバイス。
【請求項２５】
前記メモリは、非一時的コンピュータ可読命令をさらに含み、該非一時的コンピュータ可読命令は、前記プロセッサによって実行されたとき、前記コンピューティングデバイスに、
前記１つ以上のカテゴリ要素のうちの１つの作動を検出することと、
前記作動に応答して、前記作動されたカテゴリ要素に対応する前記カテゴリ内に収まる１つ以上の性能指標を表示することと、を行わせる、請求項２４に記載のコンピューティングデバイス。